(57)【要約】【課題】  コミックケースおよび表紙を収容した状態で、表紙に表記されたタイトル、およびコミックの一部を容易に視認できる安価なコミックケースを提供する。【解決手段】  １枚のシート素材を組み立てて構成され、かつコミックをその内部に収容可能な中空の直方体形状を有しており、上面には、コミックケースを挿入するための開口が形成されている。内底部には、挿入されたコミックの底部を支えるための床が形成されており、その結果、コミックケースの上端が開口から突出する。正面および左側面および右側面の上端部には、折りしろ１３、１４、および１５が形成されており、開口から内部へと挿入された表紙は、その下端部が床の端部と内周面との間で支持され、その上端部が内部へと折り曲げられた折りしろ１３、１４、および１５と内周面との間で支持される。【選択図】  図１
2005153920.tif 000002
【特許請求の範囲】
【請求項１】
コミック本体と、当該コミックに付属する表紙とを、個別的に収容するためのコミックケースであって、
折り目の付けられた１枚のシート素材を組み立てて、それぞれ互いに対向する正面および背面と左側面および右側面によって、前記コミックをその内部に収容可能な中空の直方体形状に構成され、
前記直方体形状の上面には、前記コミックを受け入れて挿入するための開口が形成されており、
前記直方体形状の内底部には、挿入された前記コミックの底部を支えるための床が形成されており、
前記床は、前記直方体形状の底面の端部に連続しかつ垂直上向きに折り曲げられた第１の折りしろと、当該第１の折りしろに連続しかつ当該底面に対して平行に折り曲げられた第２の折りしろとによって構成され、
前記直方体形状の側面と底面は、当該側面の下端から突出する舌片を折り曲げて前記第１の折りしろの折り目の部分に形成された切り込みスリットに嵌合させることによって連結され、
前記直方体形状の正面と背面と左側面と右側面の上端部の少なくとも１カ所には、第３の折りしろが形成されており、
前記開口から前記直方体形状の内部へと挿入された前記表紙は、その下端部が前記床の端部と前記直方体形状の内周面との間で支持され、その上端部が前記直方体形状の内部へと折り曲げられた前記第３の折りしろと前記直方体形状の内周面との間で支持されることを特徴とする、コミックケース。
【請求項２】
前記第２の折りしろに連続しかつ前記底面に対して垂直下向きに折り曲げられた第４の折りしろがさらに形成されており、
前記床は、前記第１の折りしろと、前記第２の折りしろと、前記第４の折りしろとによって構成されることを特徴とする、請求項１に記載のコミックケース。
【請求項３】
貼りしろが設けられた前記正面および背面と左側面および右側面のいずれか１つの側端部に設けられると共に、当該正面および背面と左側面および右側面のいずれかで当該貼りしろに隣接する部分に貼り付けられている請求項１乃至２に記載のコミックケース。
【請求項４】
前記シート素材は、前記貼りしろが当該正面および背面と左側面および右側面のいずれかに当該貼りしろに隣接する部分に貼り付けられて平面状に構成された状態で保存されることを特徴とする請求項３に記載のコミックケース。
【請求項５】
前記コミックは前記床で支えられた状態で、前記開口部より所定の長さだけ露出されていることを特徴とする請求項１乃至３に記載のコミックケース。
【請求項６】
前記シート素材を通して、前記支持された表紙の表面の任意な部分を視認できることを特徴とする請求項５に記載のコミックケース。
【発明の詳細な説明】
【技術分野】
【０００１】
本発明は、レンタルに供される書籍の容器に関し、より特定的には、コミック本など比較的廉価な書籍を陳列するケースに関する。
【背景技術】
【０００２】
従来よりコミック本に代表される書籍（以降、「コミック」）のレンタル業が、いわゆる貸本屋によって営まれている。コミック本のレンタル店において、貸し出し可能なコミックが陳列棚に展示されている。利用者は、所望のコミックを陳列棚から取り出して、貸し出しカウンターへ持参する。貸し出しカウンターでは、店員が代金と交換に持参されたコミックを利用者に貸し出す。
【０００３】
このような、レンタル可能なコミックを陳列棚に展示する際には、コミックの保護およびレンタルの便宜を図るためにも、コミックを収容して展示できるケースが望ましい。
【０００４】
このようなケースとしては、従来よりレンタル用のビデオテープカセットの陳列に供されるもの（特許文献１）が提案されているが、レンタル用コミックの陳列に供されるものは見あたらない。
【特許文献１】特開平９−１４２５６０号公報
【発明の開示】
【発明が解決しようとする課題】
【０００５】
従来のコミックのレンタル店においては、レンタル可能なコミックが陳列棚に展示される。よって、利用者が陳列棚から取り出した時点から、利用者から返却されて陳列棚に戻される間は、当該コミックがそのレンタル店の貸し出し可能な品揃えの一部であるが現在貸し出し中であることは他の利用者には分からない。
【０００６】
また陳列時には、不特定多数の利用者によって取り扱われるために、コミックの傷みや汚れが促進される。このような観点から、陳列時のコミックを保護及び展示するためのコミックケースを用いることが望ましい。しかし、そのような用途に開発されたコミックケースは見あたらない。そこで、同じレンタル業に供されるビデオテープカセットの保護および展示に提案させている上述の陳列ケース（特許文献１）をコミックに用いることが考えられる。
【０００７】
同陳列ケースをコミックに用いれば、コミックの陳列時の取り扱いによる傷み及び汚れの促進を効果的に防止することが期待できる。しかしながら、同陳列ケースはコストが高く、本来の使用目的であるビデオテープカセットテープの数十分の１程度の低単価のコミックレンタルに用いることは費用効果の点から到底不可能である。
【０００８】
さらに、高コストに加えて、同陳列ケースを実際にコミックの陳列に使用しない、在庫時にコミックより大きなスペースが必要となる。なお、コミックはビデオテープカセットテープに比べて非常に廉価であるが故に、種々なコミックを大量に陳列して、利用者の借り出しを促すことが望ましい。さらに、大量且つ多種類のコミックが頻繁に出版される。そのような新刊のコミックに備えて陳列ケースを大量に保管しておく必要がある。この場合、大量の陳列ケースの保管には、陳列ケース自体の購入コストは言うに及ばず、および保管に要するスペースもレンタル費用を押し上げる一因であるので、廉価及び小スペースであること、レンタル料金自体が廉価なコミックレンタル業においては非常に重要である。
【０００９】
従って、本発明は、コミックを破損や汚れから保護すべく収容できるコミックケースであって、当該ケースを陳列した状態で収納される当該コミックがレンタル可能か否かを容易に認識できる製造および在庫コストの小さなコミックケースを提供することを目的とする。
【課題を解決するための手段】
【００１０】
コミック本体と、当該コミックケースに付属する表紙とを、個別的に収容するためのコミックケースであって、
折り目の付けられた１枚のシート素材を組み立てて構成され、かつ前記コミックをその内部に収容可能な中空の直方体形状を有しており、
前記直方体形状の上面には、前記コミックを受け入れて挿入するための開口が形成されており、
前記直方体形状の内底部には、挿入された前記コミックの底部を支えるための床が形成されており、
前記床は、前記直方体形状の底面の端部に連続しかつ垂直上向きに折り曲げられた第１の折りしろと、当該第１の折りしろに連続しかつ当該底面に対して平行に折り曲げられた第２の折りしろとによって構成され、
前記直方体形状の側面と底面は、当該側面の下端から突出する舌片を折り曲げて前記第１の折りしろの折り目の部分に形成された切り込みスリットに嵌合させることによって連結され、
前記直方体形状の正面および左側面および右側面の上端部には、第３〜５の折りしろが形成されており、
前記開口から前記直方体形状の内部へと挿入された前記表紙は、その下端部が前記床の端部と前記直方体形状の内周面との間で支持され、その上端部が前記直方体形状の内部へと折り曲げられた前記第３〜５の折りしろと前記直方体形状の内周面との間で支持されることを特徴とする、コミックケース。
【発明の効果】
【００１１】
コミックを破損や汚れから保護するべく収容できるコミックケースであって、当該ケースを陳列した状態で収納される当該コミックがレンタル可能か否かを容易に認識できる製造および在庫コストの小さなコミックケースを提供できる。
【発明を実施するための最良の形態】
【００１２】
まず本発明にかかるコミックケースの基本的な概念について説明した後に、図１、図２、図３，図４，図５，図６を参照して本発明の実施形態について詳述する。上述のように、本発明にかかるコミックケースは、収容するコミックを傷みや汚れから保護すると共に、陳列された状態で当該コミックがレンタル可能か否かを容易に視認できる機能を有する。そのために、コミックケースは収納物を視認できるように透明或いは半透明な素材によって構成される。そして、コミックの表紙等の、コミックの内容を表す情報を含む紙状物体と、当該コミック自体を別個に収納できるように構成される。
【００１３】
さらに、コミックはその一部が当該コミックケースから露出した状態で収容される。結果、コミックケースからコミックが露出して見えない場合には、コミックはコミックケースには収納されていないので、他の利用者によってレンタル中である等の理由で貸し出し不可の状態であることが容易に視認できる。さらに、透明或いは半透明のコミックケースの側壁を通して、収納している紙状物体の表面に示されている情報から、レンタル可能な状態であれば当該コミックケースに収納されているべきコミックを認識できる。
【００１４】
さらに、未使用時の在庫状態での貯蔵スペースを低減するため且つ、使用する時には特殊な工具を必要とせずに容易に使用時の形体に組み立てて完成できる必要がある。このために、本発明にかかるコミックケースは、シート状の透明或いは半透明な材質を所定の形状に裁断したものを、一次加工品として、この一次加工品を工具を必要とする加工を施して限りなく平面状の形体の仕掛品とする。この平面状の仕掛品は、互いに積み重ねた状態で在庫保管される。そして、新刊のコミックを新たにレンタルに供する場合には、保管されている平面状の仕掛品を好ましくは手作業のみ（少なくとも通常の道具のみ）にて組み立ててコミックケースを完成させる。
【００１５】
（第１の実施形態）
図１のコミックケース１ａは、折り目の付けられた１枚のシート素材を組み立てて構成され、かつコミックをその内部に収容可能な中空の直方体形状を有し、その上面には、コミックを受け入れるための開口が形成されている。なお、組み立てられるまえのシート素材の形状については、後ほど図３を参照して説明する。
【００１６】
コミックケース１ａの底面１０の上部には、挿入されたコミックの底部を支えるための床が形成されている。床は、底面１０の端部に連続しかつ垂直上向きに折り曲げられた折りしろ１１と、折りしろ１１に連続しかつ底面１０に対して平行に折り曲げられた折りしろ１２とによって構成されている。折りしろ１１は、折りしろ１２を支持している。つまり、折りしろ１２は床と同一である。なお、図１において手前側に位置する面を前面Ｓｆとし、前面Ｓｆの反対側に位置する面を背面Ｓｂとし、前面Ｓｆと背面Ｓｂをつなぐ右側の面を右側面Ｓｒとし、前面Ｓｆと背面Ｓｂをつなぐ左側の面を左側面Ｓｌとして識別する。
【００１７】
背面Ｓｂと右側面Ｓｒとは、右側面Ｓｒに形成されたのりしろ１８が背面Ｓｂの外側端１９に接着されることによって、連結されている。背面Ｓｂと底面１０は、背面Ｓｂの下端から突出する２つの舌片１７を折り曲げて、折りしろ１１の下側折り目の部分に形成された切り込みスリット１６に嵌合させることによって連結される。
【００１８】
左側面Ｓｌ、右側面Ｓｒ、および背面Ｓｂの上端部には、それぞれ、折りしろ１３、１４、および１５が形成されている。つまり、折りしろ１３は収納するコミックの厚みに相当する側面である右側面Ｓｒの一方に設けられている。折りしろ１４および１５は、同様に収容するコミックの裏表の表紙に相当する側面である右側面Ｓｒおよび背面Ｓｂにそれぞれ設けられている。折りしろ１３、１４、および１５は、収納されるコミックの内容を表す情報を有する表紙などの紙状物体（以降、「表紙３」）をコミックケース１ａの内部に設置した状態で、コミックケース１ａの内部に織り込まれて、当該表紙３を安定的に固定する。
【００１９】
図２に、コミックケース１ａにコミック２および表示３が収容された状態を示す。同図においては、互いの関係を分かりやすくするために、コミックケース１ａを実線で示し、コミックケース１ａに収容された表紙３の輪郭を点線で示すと共に、その表面を斜線を附して示している。また、コミック２がコミックケース１ａに収容されている部分を一点鎖線で示し、コミックケース１ａからはみ出している部分を実線で示している。挿入されたコミック２の底部が、コミックケース１ａの底面に形成された床によって支えられた結果、コミック２の上端が、コミックケース１ａの上面の開口から突出する。
【００２０】
また、開口からコミックケース１ａの内部へと挿入された表紙３は、その下端部がコミックケース１ａの底面に形成された床の端部とコミックケース１ａの内周面との間で支持され、その上端部がコミックケース１ａの内部へと折り曲げられた折りしろ１３、１４、および１５とコミックケース１ａの内周面との間で支持されている。つまり、折りしろ１３は表紙３の背の部分を、折りしろ１４は表紙３の裏表紙の部分を、そして折りしろ１５は表紙３の表紙の部分をコミックケース１ａに内壁面との間に挿み込んで保持する。
【００２１】
このように、折りしろ１３、１４、および１５は、表紙３をコミックケース１ａに内壁に対して効果的に保持できれば、図示されている以外のいかなる形状や寸法であっても良く、またそれぞれを一体にではなく分割して形成しても良い。さらに、挿み込む表紙３の形状や材質によっては、折りしろ１３、１４、および１５の全てを必ずしも必要とするものでもない。例えば、折りしろ１４および１５の側端部によって、表紙３の背の部分がコミックケース１ａに効果的に保持されるような場合は、折りしろ１３は省略できる。同様に、折りしろ１４および１５も必須ではないことは言うまでもない。
【００２２】
このように本実施形態によれば、折りしろ１１および１２で構成された床を設けて、挿入されたコミック２がその床で支持されるようにしたことにより、コミック２の上端がコミックケース１ａの上面の開口から突出する。従って、コミック２および表紙３を収容した状態で、コミックケース１ａから露出しているコミック２の一部を容易に視認させることができる。
【００２３】
また、コミックケース１ａの正面および左側面および右側面の上端部に、折りしろ１３、１４、および１５を形成して、開口からコミックケース１ａの内部へと挿入された表紙３を、その下端部が床の端部とコミックケース１ａの内周面との間で支持され、その上端部がコミックケース１ａの内部へと折り曲げられた折りしろ１３、１４、および１５とコミックケース１ａの内周面との間で載置されるようにしたことにより、コミックケース１ａの正面を透過して、表紙３の正面位置に表記されたタイトルを視認させることができる。
【００２４】
次に、図３を参照して、コミックケース１ａとして組み立てられるまえのシート素材の形状について説明する。同図においては、内壁面が上になるように展開したコミックケース１ａが示されている。以降、コミックケース１ａの展開された状態のシートをコミックケースシート１ａＳと呼ぶ。なお、コミックケースシート１ａＳは、上述の一次製品に相当する。さらに同図において、コミックケースシート１ａＳに示されている一点鎖線は、同線に沿ってコミックケースシート１ａＳを内面方向側に折り曲げることによって、コミックケース１ａを形作ることができる。つまり、一点鎖線は谷折り線を示している。
【００２５】
一点鎖線にそって、コミックケースシート１ａＳの各部を折り曲げて、コミックケース１ａが大凡形作られたのちに、のりしろ１８を外側端１９に接着させて固定する。次に、折りしろ１１のスリット１６に背面Ｓｂの舌片１７を差し込んで、床（１２）を完成する。この状態で、表紙３を床とコミックケース１ａの内壁面の間に挿入する。結果、表紙３の荷担部は床（１２、１１）とコミックケース１ａの内壁面によって固定される。
【００２６】
次に、折りしろ１３、１４、および１５を折り込んで、表紙３の上端部が折りしろ１３、１４、および１５とコミックケース１ａの内壁面によって固定される。
【００２７】
なお、折りしろ１２〜１５およびのりしろ１８に対応する部分も、それぞれの機能が必要十分に発揮され、かつ見栄えがよいような形状および寸法が選ばれる。また、安全のために角が丸められたり、裁断や組立てを容易にするために隙間が設けられている部分もある。素材は、価格、加工のしやすさ、強度などを勘案して、例えば、厚さ０．３ｍｍの塩化ビニルを用いる。ポリプロピレン、ポリエチレン、ＰＥＴ、紙などを用いてもよい。できれば、内部を視認しやすいように透明な素材が好ましい。なお、不透明な素材を用いる場合には、収容した表紙３に表されたコミックのタイトル名などが見えるように開口窓を設けても良い。
【００２８】
さらに、折り目の付けられた１枚のシート素材を組み立てて構成されるため、安価である。
【００２９】
また、ケースの内壁面にステッチ上の起伏を設けることにより、コミックを出し入れする際の傷がつきにくく、かつ目立ちにくくすることができる。また、ステッチ状の起伏によって、表紙とケースの間に静電気が発生しても、表紙３をコミックケース１ａにスムーズに挿入することができる。
【００３０】
図４を参照して、コミックケース１ａの仕掛品の状態について説明する。同図に示すように、コミックケース１ａの仕掛品１ａｎは、コミックケースシート１ａＳを右側面Ｓｒとのりしろ１８の間の谷折り線が、背面Ｓｂの側端と一致するよう折り曲げた状態で、のりしろ１８が外側端１９と重なるようにさらに折り曲げる。そして、のりしろ１８と外側端１９を適当な手段で接着させて、仕掛品１ａｎが完成する。上述のように、仕掛品１ａｎをコミックケース１ａに仕上げるには、特別な工具を必要とせずに手作業にて十分である。よって、在庫の仕掛品１ａｎからコミックケース１ａに完成させるのに容易であり、時間およびコスト的にも非常にメリットが大である。
【００３１】
また、コミックケース１ａでは、舌片１７が左側面に形成され、それにより左側面と底面が連結されているが、代わりに、舌片１７が右側面に形成され、それにより右側面と底面が連結されていてもよい。さらに、コミックケース１ａでは、２つの舌片１７が形成されているが、代わりに、１つまたは３つ以上の舌片１７が形成されていてもよい。
【００３２】
ここで、上記のコミック２は、他の書籍等であってもよい。コミックは表紙を取り外してあるため、コミック本体への傷や汚れを防止するため、透明のカバーを付けて使用することが望ましい。
【００３３】
また、上記の表紙３は、日本国内で販売されるコミックの多くに付属しており、コミック２の全体に外接するような大きさを有する長方形の紙片である。この付属している表紙３でもよく、また、他の同様に裁断された紙片でもよく、さらには、図１の折りしろ１１〜１５（または、図３の折りしろ１１〜１６）で固定可能な大きさおよび形状のものであればよいのはいうまでもない。
【００３４】
このように、本発明においては、レンタル店が保有する全てのコミックについて、その表紙３が収容されたコミックケース１ａが常に陳列棚に展示されることになり、利用者は、そのレンタル店の品数や品揃えの程度を知ることができる。また、コミック２がコミックケース１からその上端が突出するように収容されるため、目線より高い位置に陳列されていても、レンタル中であるか否かを容易に視認できる。  表紙３をコミックケース１に収容する作業も容易に行える。また、コミックケース１は一枚のシート素材からなるので、平面の状態で多量の在庫を効率的に収納することができる。
【００３５】
（第２の実施形態）
次に、図５および図６を参照して、第２の実施形態にかかるコミックケースについて説明する。本実施形態にかかるコミックケース１ｂは、図１および図３に示したコミックケース１ａの折りしろ１２の先に、さらに折りしろ２０を追加されている。つまり、床（１２）を折りしろ１１と共に折りしろ２０の２つの部材で支えるように構成されている。
【００３６】
これは、コミック２が相対的に重いものである場合には、コミックケース１ａにおけるように、床（２０）が折りしろ１１のみによる片手支持の場合には、コミック２の重量を支えきれない。結果、コミック２の上端が、コミックケース１ｂの内部に入り込んでしまい、コミック２を視認させることができないこともありうる。そこで、以下には、コミック２が相対的に重いものであっても、コミック２がコミックケース１ｂの上端から暴露される。
【００３７】
このように本実施形態によれば、コミック２が相対的に重いものであっても、その上端が、コミックケース１ａの上面の開口から突出するため、コミック２および表紙３が収容された状態で、コミックケース１ａの正面側の任意の視点から、コミック２を容易に視認させることができる。なお、コミックケース１ｂは、図６に示すコミックケースシート１ｂＳより構成される。
【産業上の利用可能性】
【００３８】
低購入コストおよび低ランニングコストが要求される保護ケースを必要とするコミック本に代表される比較的廉価な書籍のレンタル業に特に有用である。
【図面の簡単な説明】
【００３９】
【図１】本発明の第一の実施形態に係るコミックケースの斜視図
【図２】図１に示すコミックケースにコミックおよび表紙が収容された状態を示す図
【図３】図１に示すコミックケースの展開図
【図４】図１に示すコミックケースの仕掛品の状態を示す図
【図５】本発明の第２の実施形態に係るコミックケースの斜視図
【図６】図５に示すコミックケースの展開図
【符号の説明】
【００４０】
１ａ、１ｂ  コミックケース
１ａＳ、１ｂＳ  コミックケースシート
１ａｎ  コミックケースの仕掛品
２  コミック
３  表紙
１１〜１５、２０  折りしろ
１６  スリット
１７  舌片
１８  のりしろ
Ｓｆ  前面
Ｓｂ  背面
Ｓｌ  左側面
Ｓｒ  右側面
【図１】
2005153920.tif 000003
【図２】
2005153920.tif 000004
【図３】
2005153920.tif 000005
【図４】
2005153920.tif 000006
【図５】
2005153920.tif 000007
【図６】
2005153920.tif 000008